(57)【要約】【課題】複数のモバイル機器の状態を効率的に通知することにより、モバイル機器が起動状態のまま放置される等の状況を回避すること。【解決手段】複数のモバイル機器を備え、各モバイル機器が、自機の状態を検出する状態検出部１８と、他のモバイル機器と通信する通信部１２と、表示部１３と、制御部１６とを備え、各モバイル機器の制御部１６が、状態検出部１８により検出された状態を通信部１２により他のモバイル機器に送信させるとともに、通信部１２により他のモバイル機器からの状態が受信された場合に、該状態を表示部１３に表示させるモバイル機器システムを提供する。【選択図】図２
2008085790.tif 000002
【特許請求の範囲】
【請求項１】
複数のモバイル機器を備え、
各モバイル機器が、自機の状態を検出する状態検出手段と、他のモバイル機器と通信する通信手段と、通知手段と、制御手段とを備え、
各前記モバイル機器の制御手段が、前記状態検出手段により検出された状態を前記通信手段により他のモバイル機器に送信させるとともに、前記通信手段により他のモバイル機器からの状態が受信された場合に、該状態を通知するよう前記通知手段を制御するモバイル機器システム。
【請求項２】
前記状態検出手段により起動状態とされたことが検出されたモバイル機器の制御手段は、通信手段を作動して他のモバイル機器に対して状態送信要求を送信させ、該状態送信要求に対する状態情報を他のモバイル機器から受信した場合に、前記通知手段により該他のモバイル機器の状態情報を通知させる請求項１に記載のモバイル機器システム。
【請求項３】
前記通知手段が表示手段である場合において、該表示手段が自機の状態および他のモバイル機器の状態を識別可能に表示する請求項１または請求項２に記載のモバイル機器システム。
【請求項４】
前記表示手段が、複数のモバイル機器の状態を異なるアイコンにより表示する請求項３に記載のモバイル機器システム。
【請求項５】
前記モバイル機器の状態がバッテリ残容量であり、表示手段が、バッテリ残容量に応じてアイコンの形態を変化させて表示する請求項４に記載のモバイル機器システム。
【請求項６】
自機の状態を検出する状態検出手段と、
他のモバイル機器と通信する通信手段と、
通知手段と、
制御手段と
を備え、
前記制御手段が、前記状態検出手段により検出された状態を前記通信手段により他のモバイル機器に送信させるとともに、前記通信手段により他のモバイル機器からの状態が受信された場合に、該状態を通知するよう前記通知手段を制御するモバイル機器。
【発明の詳細な説明】
【技術分野】
【０００１】
本発明は、一のモバイル機器により、複数のモバイル機器の状態を通知することのできるモバイル機器システムおよびモバイル機器に関するものである。
【背景技術】
【０００２】
近年、情報の多様化が進み、携帯電話機、ラップトップパソコン、情報通信端末、パソコン、音楽再生機器等の各種の機能を持つモバイル機器が、外出時において一度に持ち歩かれる機会が増えている（特許文献１参照）。
例えば、特許文献１には、パソコンで撮影した画像データをローカルネットワークを介して携帯電話機に送信し、さらに携帯電話機で外部のネットワークに送信することにより、複数のモバイル機器を組み合わせて利用することが開示されている。
【特許文献１】特開２００２−９８７９号公報
【発明の開示】
【発明が解決しようとする課題】
【０００３】
しかしながら、持ち運んでいる全てのモバイル機器を同時に使用することは少なく、いずれかのモバイル機器を使用している場合には他のモバイル機器を使用していないことがある。この場合に、使用していないモバイル機器が起動状態のまま放置されていることがあり、バッテリが消耗してしまうという不都合があった。
【０００４】
本発明は、上記問題を解決するためになされたもので、複数のモバイル機器の状態を効率的に通知することにより、モバイル機器が起動状態のまま放置される等の状況を回避することのできるモバイル機器システム及びモバイル機器を提供することを目的とする。
【課題を解決するための手段】
【０００５】
上記課題を解決するために、本発明は以下の手段を採用する。
本発明は、複数のモバイル機器を備え、各モバイル機器が、自機の状態を検出する状態検出手段と、他のモバイル機器と通信する通信手段と、通知手段と、制御手段とを備え、各前記モバイル機器の制御手段が、前記状態検出手段により検出された状態を前記通信手段により他のモバイル機器に送信させるとともに、前記通信手段により他のモバイル機器からの状態が受信された場合に、該状態を通知するよう前記通知手段を制御するモバイル機器システムを提供する。
【０００６】
このような構成によれば、各モバイル機器の状態が状態検出手段により検出され、この状態情報が通信手段により他のモバイル機器へ送信される。各モバイル機器において、他のモバイル機器の状態情報が通信手段により受信された場合、この状態情報が通知手段により通知されるので、ユーザは、他のモバイル機器の状態を確認することができる。例えば、状態情報として起動状態か否かを通知することにより、ユーザは使用していないモバイル機器が起動状態のまま放置されていることに早期に気づくことができる。
【０００７】
上記モバイル機器システムにおいて、前記状態検出手段により起動状態とされたことが検出されたモバイル機器の制御手段は、通信手段を作動して他のモバイル機器に対して状態送信要求を送信させ、該状態送信要求に対する状態情報を他のモバイル機器から受信した場合に、前記通知手段により該他のモバイル機器の状態情報を通知させることとしてもよい。
【０００８】
このような構成によれば、ユーザによりモバイル機器が操作された際に、他のモバイル機器の状態情報が当該モバイル機器の通知手段によって通知されることとなるので、ユーザは自己が使用しようとして起動させたモバイル機器において他のモバイル機器の状態を把握することができる。これにより、他のモバイル機器をわざわざ起動させることなく、効率的に他のモバイル機器の状態を確認することができる。
【０００９】
上記モバイル機器システムにおいて、前記通知手段が表示手段である場合において、該表示手段が自機の状態および他のモバイル機器の状態を識別可能に表示することとしてもよい。
【００１０】
このような構成によれば、各モバイル機器の表示手段には、各モバイル機器の状態が識別可能に表示されるので、ユーザは各モバイル機器の状態を容易に把握することができる。
【００１１】
上記モバイル機器システムにおいて、前記表示手段が、複数のモバイル機器の状態を異なるアイコンにより表示することとしてもよい。
【００１２】
このような構成によれば、各モバイル機器の表示手段には、各モバイル機器の状態が異なるアイコンで表示されるので、ユーザは各モバイル機器の状態を更に容易に把握することができる。
【００１３】
上記モバイル機器システムにおいて、前記モバイル機器の状態がバッテリ残容量であり、表示手段が、バッテリ残容量に応じてアイコンの形態を変化させて表示することとしてもよい。
【００１４】
このような構成によれば、各モバイル機器の表示手段には、自機のバッテリ残容量、並びに、他のモバイル機器のバッテリ残容量がその容量に応じたアイコンで表示されるので、ユーザは表示手段を確認することにより、各モバイル機器のバッテリ残容量を容易に把握することができる。
【００１５】
本発明は、自機の状態を検出する状態検出手段と、他のモバイル機器と通信する通信手段と、通知手段と、制御手段とを備え、前記制御手段が、前記状態検出手段により検出された状態を前記通信手段により他のモバイル機器に送信させるとともに、前記通信手段により他のモバイル機器からの状態が受信された場合に、該状態を通知するよう前記通知手段を制御するモバイル機器を提供する。
【００１６】
このような構成によれば、状態検出手段により検出された自機の状態を通信手段により他のモバイル機器へ送信させるとともに、通信手段により他のモバイル機器の状態が受信された場合には、この状態が通知手段により通知されるので、ユーザは、一のモバイル機器により他のモバイル機器の状態を確認することが可能となる。
上記の各種態様は、可能な範囲で組み合わせて利用することができるものである。
【発明の効果】
【００１７】
本発明によれば、複数のモバイル機器の状態を効率的に通知するので、モバイル機器が起動状態のまま放置される等の状況を回避することができるという効果を奏する。
【発明を実施するための最良の形態】
【００１８】
以下に、本発明に係るモバイル機器システムの一実施形態について、図面を参照して説明する。
図１は、本発明の一実施形態に係るモバイル機器システム１の一構成例を示したものである。この図に示すように、モバイル機器システム１は、複数のモバイル機器、具体的には、携帯電話機３、携帯型音楽再生機４、ＰＤＡ（Personal Digital Assistants）５、ラップトップパソコン（以下「パソコン」という。）６を備えている。なお、これらのモバイル機器は一例であり、一般的に携帯して用いられる電子機器を任意に組み合わせて採用することが可能である。
【００１９】
上述の各モバイル機器は、共通する以下の構成要素をそれぞれ備えている。つまり、図２に示すように、各モバイル機器は、通信部（通信手段）１２、表示部（通知手段）１３、入力部１４、記憶部１５、制御部（制御手段）１６、状態検出部（状態検出手段）１８をそれぞれ備えている。これらの各部は、バス１７を介して相互に接続されており、相互間における情報の授受が可能な構成とされている。
【００２０】
上記構成要素は、各モバイル機器が一般的に備えている構成要素とは個別に備えられていても良いし、各モバイル機器が一般的に備えている構成要素と併用することとしても良い。例えば、携帯電話機３であれば、一般的に通信部、表示部、及び入力部を備えているので、これらの構成要素のうち、重複する構成要素については併用することが好ましい。他のモバイル機器についても同様である。
【００２１】
通信部１２は、無線により他のモバイル機器と通信可能とされている。例えば、携帯電話機３の通信部１２であれば、携帯型音楽再生機４、ＰＤＡ５、パソコン６との間でそれぞれ通信が可能とされている。
表示部１３は、例えば、液晶ディスプレイである。入力部１４は、例えば、キーボード、ボタンなどであり、マンマシンインターフェースとして機能する。
【００２２】
記憶部１５には、他のモバイル機器の情報が格納されている。具体的には、他の各モバイル機器の識別情報が格納されているとともに、各識別情報には、名称、双方向通信を可能とするための情報、表示部１３に表示させるアイコン情報等の各種情報が対応付けられている。双方向通信を可能とするための情報としては、相手のＩＰアドレス等が一例として挙げられる。
【００２３】
また、表示部１３に表示させるアイコン情報については、機器の状態に応じて複数のアイコンが格納されている。例えば、起動状態に対応するアイコン、待機状態に対応するアイコン、バッテリ残容量の各レベルに対応する複数のアイコン等がモバイル機器毎に登録されている。ここで、起動状態に対応するアイコンと待機状態に対応するアイコンとは、起動状態であるか待機状態であるかをユーザが容易に判別できるように、表示態様を異ならせている。本実施形態では、起動状態に対応するアイコンは実線で描かれているとともに、待機状態に対応するアイコンは点線で描かれている。なお、この態様は一例であり、例えば、起動状態に対応するアイコンは、待機状態に対応するアイコンに更に網掛け等を施すような態様とされていても良い。
【００２４】
制御部１６は、上述した各部を統括して制御するものである。
状態検出部１８は、自機の状態、例えば、バッテリ残容量や、起動状態であるか否か等を定期的に検出し、検出結果を制御部１６に出力する。これにより、制御部１６には、起動状態か否かの情報、及び、バッテリ残容量が定期的に入力されることとなる。
【００２５】
上述したような共通する構成を有する各モバイル機器においては、図３に示すような処理が制御部１６により実行される。なお、以下に示す処理は、各モバイル機器の制御部１６によりそれぞれ実行される処理であるが、説明の便宜上、ここでは、携帯電話機３の制御部１６を代表的に取り上げて説明する。
【００２６】
まず、ユーザにより携帯電話機３が操作が行われることにより、起動状態であることが状態検出部１８により検出されると（図４のステップＳＡ１において「ＹＥＳ」）、携帯電話機３の制御部１６は、状態検出部１８から自機のバッテリ残容量の情報を取得するとともに（ステップＳＡ２）、通信部１２を作動させ、他のモバイル機器に対して状態通知要求を送信する（ステップＳＡ３）。これにより、状態通知要求が携帯型音楽再生機４、ＰＤＡ５、パソコン６の通信部１２により受信されることとなる。
【００２７】
この状態通知要求を受信した各モバイル機器の制御部１６は、状態検出部１８により検出された状態情報、具体的には、起動状態か待機状態かの情報、および、バッテリ残容量を自己の識別情報に対応付けて当該要求の送信元、つまり、携帯電話機３に返信する。これにより、携帯電話機３の通信部１２により、各モバイル機器からの状態情報が受信されることとなる（ステップＳＡ４）。
【００２８】
続いて、携帯電話機３の制御部１６は、他のモバイル機器から受信した状態情報に基づいて、記憶部１５から対応するアイコンを取得し、取得したアイコンを表示部１３に表示させる（ステップＳＡ５）。
例えば、携帯型音楽再生機４から「起動状態」、「バッテリ残容量：中」の状態情報を、ＰＤＡ５及びパソコン６から「待機状態」、「バッテリ残容量：高」の状態情報をそれぞれ受信した場合、携帯電話機３の制御部１６は、これらの状態情報に対応するアイコンを記憶部１５から取得し、これを表示部１３に表示させる。これにより、携帯電話機３の表示部１３には、図５に示すような画面が表示されることとなる。この場合において、図５に示すように、起動状態である携帯型音楽再生機４のアイコンと、待機状態であるＰＤＡ５、パソコン６のアイコンとの表示態様を異ならせるので、起動状態であるモバイル機器を容易に識別できる。これにより、ユーザは、起動状態で放置されている他のモバイル機器の存在に早期に気づくことができ、速やかな対応をとることで、無駄な電力消費を抑えることができる。
【００２９】
以上説明してきたように、本実施形態に係るモバイル機器システム１によれば、ユーザによって一のモバイル機器が起動された場合に、当該モバイル機器の表示部１３には、他のモバイル機器の状態が表示されることとなるので、ユーザは起動させたモバイル機器の表示部１３を見ることにより、他のモバイル機器の状態についても確認することができる。これにより、起動状態のモバイル機器が存在していた場合には、そのことに早期に気づくことができる。この結果、モバイル機器の無駄な電力消費等を抑制することができ、ユーザが使用したいときにバッテリ不足で使用できないなどの不都合を回避することができる。
また、本実施形態によれば、起動状態に応じてアイコンの表示態様を変えることとしたので、ユーザは起動状態のモバイル機器を容易に認識することができる。
【００３０】
なお、各モバイル機器は、表示部１３のサイズがそれぞれ異なる。従って、表示部１３のサイズに応じて、表示させるアイコンの態様や表示内容を変えることとしても良い。例えば、携帯電話機３や携帯型音楽再生機４の表示部１３は、ＰＤＡ５やパソコン６の表示部１３に比べてサイズが小さい。従って、携帯電話機３や携帯型音楽再生機４においては、ユーザの注意を促す必要のあるモバイル機器の情報のみを表示させることとしても良い。
【００３１】
例えば、待機状態であり、バッテリ残容量の高いモバイル機器については、特にユーザの注意を促す必要はないが、その一方で、起動状態のモバイル機器やバッテリ残容量の低いモバイル機器については、ユーザにその旨を早期に通知し、速やかに対処させることが必要となる。従って、表示部１３のサイズが小さいモバイル機器においては、起動状態にあるモバイル機器やバッテリ残容量が少ないモバイル機器についてのみ表示することとし、表示部１３のサイズが大きいＰＤＡ５、パソコン６については、全ての他のモバイル機器の状態を表示させるとともに、更に、その状態の詳細についても表示させることとしても良い。このように、表示部１３のサイズに応じて表示情報を変えることにより、効果的に他のモバイル機器の状態を通知することができる。
【００３２】
なお、本実施形態においては、他のモバイル機器の状態を表示部１３に表示させることによりユーザに通知することとしたが、これに代えて、音声によって通知することとしてもよい。この場合には、図２に示した構成要素に加えて、スピーカ等の音声を出力する音声出力手段を備えることとなる。
【００３３】
また、本実施形態において、他のモバイル機器のうち、起動状態のモバイル機器やバッテリ残容量が予め登録されている所定の値以下のモバイル機器等が存在していた場合に、そのモバイル機器を報知する報知手段を更に備えることとしてもよい。このように、起動状態やバッテリ残容量の低いモバイル機器については、上記表示に加えて、報知手段により報知することで、ユーザに対して更なる注意を促すことが可能となる。これにより、起動状態で放置されることによりバッテリが消耗し、使用したいときに使用できないという不都合を確実に防止することができる。報知手段としては、スピーカなどのように音声にて報知する手段、ＬＥＤなどのように点灯により報知する手段、バイブレータ等のように振動により報知する手段等を採用することが可能である。
【００３４】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００３５】
【図１】本発明の一実施形態に係るモバイル機器システムの構成を示す図である。
【図２】本発明の一実施形態に係るモバイル機器システムの各モバイル機器が共通で備える構成要素を示した図である。
【図３】本発明の一実施形態に係る制御部により実行される処理の処理手順を示したフローチャートである。
【図４】携帯電話機の表示画面例を示した図である。
【符号の説明】
【００３６】
１  モバイル機器システム
３  携帯電話機
４  携帯型音楽再生機
５  ＰＤＡ
６  ラップトップパソコン
１２  通信部
１３  表示部
１４  入力部
１５  記憶部
１６  制御部
１７  バス
１８  状態検出部
【図１】
2008085790.tif 000003
【図２】
2008085790.tif 000004
【図３】
2008085790.tif 000005
【図４】
2008085790.tif 000006